(57)【要約】【課題】装置可動の回転率を高めることができる写真プリント供給装置を提供する。【解決手段】被写体を撮影するカメラが設けられた筐体１と、上記筐体１とは別個に形成されて撮影画像を表示するとともに使用者により入力された手書き画像を受け付けるディスプレイが設けられた編集用筐体２２と、上記撮影画像と手書き画像等を合成して合成画像を生成する合成処理を行う制御手段と、上記合成画像を印刷して写真プリントとして出力するプリンタ３３とを備え、上記編集用筐体２２は、上方部に、使用者の手前側が低くなるよう家屋の屋根状に一対の傾斜面が形成され、上記各傾斜面にそれぞれディスプレイ２５ａ，２５ｂが設けられ、上記両ディスプレイ２５ａ，２５ｂの間に遮蔽部材９が配置され、上記制御手段は、上記複数のディスプレイ２５ａ，２５ｂのうちいずれかに対して手書き画像入力の受付処理を開始させるように制御する。【選択図】図１
2005284297.tif 000002
【特許請求の範囲】
【請求項１】
撮影空間の被写体を撮影する撮影手段が設けられた筐体と、
上記筐体とは別個に形成され、上記撮影手段により生成された撮影画像を表示するとともに使用者により入力された手書き画像を受け付けるディスプレイが設けられた編集用筐体と、
上記撮影画像と手書き画像を合成して合成画像を生成する合成処理を行う制御手段と、上記合成画像を印刷媒体に印刷して写真プリントとして出力するプリンタとを備え、
上記編集用筐体は、利用者の腰から胸の辺りの高さに設定された上方部に、使用者の手前側が低くなるよう家屋の屋根状に一対の傾斜面が形成され、上記各傾斜面にそれぞれ上記ディスプレイが設けられ、上記両ディスプレイの間に遮蔽部材が配置され、上記制御手段は、上記複数のディスプレイのうちいずれかに対して手書き画像入力の受付処理を開始させるように制御することを特徴とする写真プリント供給装置。
【請求項２】
上記写真プリントを出力するプリンタは、上記各ディスプレイに表示された合成画像を写真プリントとして出力できるよう共用のものであり、上記プリンタの稼動状況を検知する検知手段を備え、上記制御手段は、上記検知手段が、いずれかのディスプレイで編集された画像がプリンタでプリント中であるときは、当該プリントが終了するまで、他のディスプレイによる編集プレイのプレイ時間を延長する請求項１記載の写真プリント供給装置。
【請求項３】
上記写真プリントを出力するプリンタは、上記各ディスプレイに表示された合成画像を写真プリントとして出力できるよう共用のものであり、プリンタの送出口の近傍に、いずれかのディスプレイで編集された画像がプリント中であることを表示する表示手段が設けられている請求項１または２記載の写真プリント供給装置。
【発明の詳細な説明】
【技術分野】
【０００１】
本発明は、撮影領域内の被写体の撮影画像に、手書き画像等を合成して表示するディスプレイと、その合成画像を写真プリントとして出力するプリンタ等を備えた写真プリント供給装置に関するものである。
【背景技術】
【０００２】
近年、ゲームセンター等において、写真を撮影してシールプリント等にする写真自販機が数多く設置されている。このような写真自販機としては、一般に、図１９に示すようなものが用いられている。このものは、内部および前面に各種の装置が設けられた筐体５０と、上記筐体５０の上下から被写体Ｍの背後まで達するように突き出された骨材５１とを備えている。
【０００３】
そして、上記両骨材５１の先端部分に、壁板５２が配置され、必要に応じてその前側に撮影の際の背景となるカーテン５３が吊設され、上記筐体５０，骨材５１，壁板５２で囲まれた空間が、被写体Ｍの撮影領域すなわち撮影用ブース（撮影空間）５４を形成している。上側の骨材５１には、撮影用ブース５４内の被写体Ｍを照射する２つのライト５５が取り付けられている。
【０００４】
上記筐体５０の内部には、被写体Ｍを撮影するカメラ５６が設けられている。上記筐体５０のカメラ５６の被写体Ｍ側に位置する面には、ガラス・プラスティック等の透明板５７が嵌め込まれている。また、上記筐体５０の内部には、上記カメラ５６から画像データを受信して画像合成等の処理を行なうコンピュータ装置５８が設けられている。また、上記筐体５０の被写体Ｍ側には、上記コンピュータ装置５８から送信された合成画像等の画像信号を受信して画像を表示するディスプレイ５９が設けられている。
【０００５】
さらに、上記筐体５０の内部には、コンピュータ装置５８から送信された画像データを受信し、この画像を印刷媒体６０に印刷するプリンタ６１が設けられている。このプリンタ６１で印刷された印刷媒体６０は、筐体５０の前面に形成された送出口６２から送出されるようになっている。
【０００６】
そして、上記筐体５０の前面には操作パネルが設けられ、この操作パネルにコントローラ６３が設けられている。上記コントローラ６３は、タッチペン６４を備え、使用者Ｍが上記タッチペン６４の先端をディスプレイ５９の表面に接触させて文字や図形等を描いて入力しうるようになっており、手書き入力された文字・図形等の画像データやスタンプ画像等が、カメラ５６で撮影された被写体Ｍの撮影画像と合成されてディスプレイ５９に表示され、印刷媒体６０に印刷されるようになっている。
【０００７】
【特許文献１】特許第３１９６８９７号公報
【発明の開示】
【発明が解決しようとする課題】
【０００８】
ところで、最近は、写真自販機の利用者の増加とともに、そのニーズも多様化している。そこで、これらのニーズに応えることの１つとして、被写体の撮影画像に手書き画像等をディスプレイの表示画面上で編集する編集プレイを、より楽しく行うことが望まれている。とくに、上記ディスプレイが複数配置されている形式のものにおいては、ディスプレイの配置形態をどのように設定するかが重要視されている。上記の特許文献においては、２つの編集用ディスプレイが真横に並べた状態になっているので、使用者同士が顔を合わせながら編集プレイを楽しむことが非常に行ないにくいという問題がある。さらに、２つの編集用ディスプレイの背後の空間が両ディスプレイの並び方向に大きくなり、写真自販機としてのコンパクト化が行ないにくいという問題がある。
【０００９】
本発明は、このような事情に鑑みてなされたもので、複数のディスプレイを編集プレイに適した配置とするとともに、編集プレイ用のユニットをコンパクトにした写真プリント供給装置の提供を目的とする。
【課題を解決するための手段】
【００１０】
上記の目的を達成するため、本発明の写真プリント供給装置は、撮影空間の被写体を撮影する撮影手段が設けられた筐体と、上記筐体とは別個に形成され、上記撮影手段により生成された撮影画像を表示するとともに使用者により入力された手書き画像を受け付けるディスプレイが設けられた編集用筐体と、上記撮影画像と手書き画像を合成して合成画像を生成する合成処理を行う制御手段と、上記合成画像を印刷媒体に印刷して写真プリントとして出力するプリンタとを備え、上記編集用筐体は、利用者の腰から胸の辺りの高さに設定された上方部に、使用者の手前側が低くなるよう家屋の屋根状に一対の傾斜面が形成され、上記各傾斜面にそれぞれ上記ディスプレイが設けられ、上記両ディスプレイの間に遮蔽部材が配置され、上記制御手段は、上記複数のディスプレイのうちいずれかに対して手書き画像入力の受付処理を開始させるように制御することを要旨とする。
【００１１】
本発明は、写真プリント供給方法として提供することもできる。
【００１２】
本発明は、写真プリント供給プログラムとして提供することもできる。
【発明の効果】
【００１３】
すなわち、上記編集用筐体は、利用者の腰から胸の辺りの高さに設定された上方部に、使用者の手前側が低くなるよう家屋の屋根状に一対の傾斜面が形成され、上記各傾斜面にそれぞれ上記ディスプレイが設けられているため、ディスプレイでの編集プレイを行いやすくすることができる。ディスプレイが低い位置で傾斜しているので、使用者は表示画面が見やすくしかも手書き画像入力の操作も行ないやすくなる。また、両ディスプレイのあいだに遮蔽部材が配置されているため、見知らない使用者同士が差し向かいになっても、気が散らないで編集プレイに集中することができ、プライバシーを保って安心した気持ちで編集プレイができる。さらに、両ディスプレイのあいだの空間を出きるだけ小さくすることができるので、写真プリント供給装置の小型化にとって有利である。しかも、複数のディスプレイのいずれかのディスプレイで手書き画像入力の受付処理を開始させることにより、利用者の編集プレイ待ちがなくなって、装置可動の回転率を高めることができる。
【００１４】
本発明において、上記写真プリントを出力するプリンタは、上記各ディスプレイに表示された合成画像を写真プリントとして出力できるよう共用のものであり、上記プリンタの稼動状況を検知する検知手段を備え、上記制御手段は、上記検知手段が、いずれかのディスプレイで編集された画像がプリンタでプリント中であるときは、当該プリントが終了するまで、他のディスプレイによる編集プレイのプレイ時間を延長する場合には、プリンタを使用中であることが他方の利用者にわかっていらいらすることがなくなるだけでなく、自分のプレイ時間が延長されるため、利用者にお得感を与えて不満を解消することができる。
【００１５】
本発明において、上記写真プリントを出力するプリンタは、上記各ディスプレイに表示された合成画像を写真プリントとして出力できるよう共用のものであり、プリンタの送出口の近傍に、いずれかのディスプレイで編集された画像がプリント中であることを表示する表示手段が設けられている場合には、遮蔽部材を機能させて、別の知らないグループの使用者が編集プレイをするときに、どちらのグループのプリンタが動作中であるかを知らせることができる。したがって、別の使用者がプリント中であることを他方の使用者が承知して、いらいらすることなく自分の写真プリントが出てくるのを待つことができる。
【００１６】
写真プリント供給装置において、上記第１ディスプレイと第２ディスプレイは、それらの表示画面の左右方向が略鈍角をなした位置関係である場合には、上記両ディスプレイを見ながら編集プレイを行う使用者達が、斜め向いに向い合うことになるので、友達同士の楽しい会話を交わしながら、あるいは、一方の使用者が他方の使用者のディスプレイを覗き込みながら編集プレイができ、顧客の満足度をより一層高めることができる。さらに、第１・第２両ディスプレイの表示画面が上記のような向きになっているので、使用者は斜め向いの友達の顔を見たり表示画面を見たりするときに、視線を大きく変えないですみ、編集ミスの低減や目の疲れが軽減できる。また、第１・第２両ディスプレイの表示画面の左右方向が略鈍角をなした位置関係になっているので、例えば、両ディスプレイの背後に配置した壁部材と両ディスプレイとの間隔をできるだけ小さくすることができ、同時に、両ディスプレイは上記のように鈍角関係になっているので、ディスプレイの並び方向の寸法を制限することができ、写真プリント供給装置の小型化にとって有利である。
【００１７】
写真プリント供給装置において、上記ディスプレイは、上記第１ディスプレイおよび第２ディスプレイに加えて第３ディスプレイおよび／または第４ディスプレイにより構成され、これらの各ディスプレイの表示画面の向きが異なった方向に向けられている場合には、３名または４名の使用者が同時に編集プレイを行うことができ、向い合わせや隣合わせ同士で楽しく話し合いながら編集プレイができる。さらに、第１・第２両ディスプレイおよび第３，第４のディスプレイの表示画面が上記のような向きになっているので、使用者は斜め向いの友達の顔を見たり正面の表示画面を見たりするときに、視線を大きく変えないですみ、編集ミスの低減や目の疲れが軽減できる。３つまたは４つの編集用ディスプレイが１箇所に集約されるので、複数のディスプレイを少ないスペースの場所に配置できる。また、複数の編集用ディスプレイを１箇所に集約することにより、撮影領域すなわち撮影プレイを遂行する場所と編集プレイを遂行する場所を区分して、遊戯施設場等のスペース環境に応じた写真プリント供給装置の配置が実現する。
【００１８】
写真プリント供給装置において、隣合うディスプレイの表示画面の左右方向が略直交した位置関係である場合には、やはり斜め向いのような親密性のある使用者の位置関係となるので、友達同士の楽しい会話を交わしながらの編集プレイができる。また、隣合うディスプレイが上記のような位置関係になっているので、両ディスプレイの背後のスペースが大きく確保でき、後述のプリンタやコンピュータ装置等の収容にとって好適である。
【００１９】
本発明の写真プリント供給装置において、上記遮蔽部材が、着脱可能である場合には、見知らない使用者が編集プレイをするときには、遮蔽部材を取付けておき、友達同士が編集プレイをするときには、遮蔽部材を外しておく。このような使い分けをすることにより、上記のような友達同士で楽しんだり見知らない使用者同士の気遣いをなくしたりすることができ、使いやすい写真プリント供給装置がえられる。
【００２０】
本発明の写真プリント供給装置において、上記遮蔽部材が、開閉可能である場合には、見知らない使用者が編集プレイをするときには、遮蔽部材を閉じておき、友達同士が編集プレイをするときには、遮蔽部材を開いておく。このような使い分けをすることにより、上記のような友達同士で楽しんだり見知らない使用者同士の気遣いをなくしたりすることができ、使いやすい写真プリント供給装置がえられる。また、開閉式とすることにより、遮蔽部材を写真プリント供給装置に組みこんでおき、簡単な取扱いで開閉することができ、さらには、動作ボタンの操作だけで自動開閉の構造とすることも可能である。
【００２１】
本発明の写真プリント供給装置において、上記写真プリントを出力するプリンタが、上記各ディスプレイに表示された合成画像を写真プリントとして出力できるよう共用のものとされている場合には、１台のプリンタで複数のディスプレイの画像データをコンピュータ装置から受信して、写真プリントとして出力するので、ユニット（プリンタ）の数量を最小限にして、構造簡素化や原価低減を図ることができる。
【００２２】
本発明の写真プリント供給装置において、上記写真プリントを出力するプリンタが、上記各ディスプレイ毎に配置されている場合には、各ディスプレイ専用のプリンタを動作させることにより、各ディスプレイで作成された合成画像が直ちに写真プリントとして出力され、使用者の待ち時間を実質的になくすことができる。また、各ディスプレイ専用のプリンタであるから、見知らない使用者同士が同時に編集プレイを行なっても、出力された写真プリントをお互いに見られることが防止でき、プライバシー保護の点において好適である。
【００２３】
本発明の写真プリント供給装置において、上記ディスプレイが、筐体に取付けられている場合には、筐体の形状を選定することにより、ディスプレイの表示画面の向きを所定の向きに設定できるので、上述のように使用者が差し向かいになったり、斜め向いになったり、筐体内部の空間をできるだけ小さくしたりすることが容易に達成できる。
【００２４】
本発明の写真プリント供給装置において、上記筐体内に上記プリンタが配置されている場合には、上記ディスプレイとプリンタとをできるだけ接近させることができるので、写真プリント供給装置を可及的にコンパクトにまとめることができる。また、使用者にとっては、ディスプレイと写真プリントが出力される箇所が接近しているので、できあがった写真プリントを直ちに手にすることが可能となる。さらに、ディスプレイが取付けられた筐体の内部空間を利用してプリンタを配置するものであるから、プリンタの配置箇所，配置台数等が自由度をもって決められる。
【００２５】
本発明の写真プリント供給装置において、上記筐体内に写真プリント供給装置を動作させるコンピュータ装置が収容されている場合には、ディスプレイを装備している筐体内に上記機能のコンピュータ装置が収容されるので、筐体の内部空間の有効活用ができるのと同時に、コンピュータ装置が設置されていない方の筐体を小型化でき、写真プリント供給装置全体としてコンパクトな状態となる。
【００２６】
本発明の写真プリント供給装置において、上記筐体が、上記撮影領域外に配置されている場合には、撮影領域すなわち撮影ブースと編集用の筐体を分離させて配置することができるので、遊戯施設のスペース事情に適合させた筐体の配置が可能となる。このような分離した配置により、遊戯施設の狭いスペースを有効に活用したり、使用者の移動を行ないやすくしたりすることができる。
【００２７】
本発明の写真プリント供給装置において、上記筐体が、上記撮影領域内に配置されている場合には、撮影領域すなわち撮影ブース内に編集用の筐体を配置することができるので、写真プリント供給装置のコンパクト化にとって好都合である。また、撮影プレイと編集プレイとが１箇所で行なえるので、使用者は移動する必要がなく、移動の煩わしさのない楽な写真プリントの供給が受けられる。さらに、友達同士の使用者達が撮影プレイと編集プレイを平行して同時に楽しむことも可能である。
【００２８】
また、本発明は、撮影領域において被写体を撮影する撮影手段と、上記撮影手段により生成された撮影画像を表示するとともに、使用者により入力された手書き画像等を受け付ける複数のディスプレイと、上記撮影画像と手書き画像等を合成して合成画像を生成する合成手段と、上記合成画像を印刷媒体に印刷して写真プリントとして出力するプリンタとを備えた写真プリント供給装置であって、上記複数のディスプレイの表示画面の向きが異なった方向に向けられ、上記複数のディスプレイのあいだに着脱または開閉可能な遮蔽部材が配置され、上記遮蔽部材が除去された状態のままで複数の利用者が同時に複数のディスプレイに手書き画像等を入力できる第１動作プログラムと、上記遮蔽部材が存置された状態のままで複数の利用者が同時または相前後して複数のディスプレイに手書き画像等を入力できる第２動作プログラムとが、写真プリント供給装置を動作させるコンピュータ装置に設けられ、上記第１および第２動作プログラムを選択する選択手段が設けられているようにすることもできる。
【００２９】
すなわち、上記複数のディスプレイの表示画面の向きが異なった方向に向けられ、上記複数のディスプレイのあいだに着脱または開閉可能な遮蔽部材が配置され、上記遮蔽部材が除去された状態のままで複数の利用者が同時に複数のディスプレイに手書き画像等を入力できる第１の動作プログラムと、上記遮蔽部材が存置された状態のままで複数の利用者が同時または相前後して複数のディスプレイに手書き画像等を入力できる第２の動作プログラムとが、写真プリント供給装置を動作させるコンピュータ装置に設けられ、上記第１および第２動作プログラムを選択する選択手段が設けられている。
【００３０】
したがって、上記第１動作プログラムが選択されているときには、遮蔽部材が除去されているとともに複数のディスプレイが使用可能とされているので、友達同士の楽しい会話を楽しみながら、あるいは友達の表示画面を覗いたりしながら編集プレイができ、顧客の満足度をより一層高めることができる。また、上記第２動作プログラムが選択されているときには、遮蔽部材が存置されているとともに複数のディスプレイが使用可能とされているので、見知らない利用者同士のプライバシーを守ることができる。さらに、複数の見知らない利用者が撮影プレイを順次終了してきても、引続いて複数のディスプレイを用いて同時または相前後して手書き入力等が行なえる。このような手書き入力等の編集プレイは比較的長時間を要するのであるが、複数のディスプレイの空いている方のディスプレイを使用することにより、利用者の編集プレイ待ちがなくなって、装置可動の回転率を高めることができる。
【００３１】
上記のように、第１および第２動作プログラムが選択できるので、装置運営者は、顧客満足度を高めたい、または顧客回転率を高めたい等の設置場所の事情に合わせて、１台の装置を臨機応変に使い分けることができ、設置面積あたりの装置の付加価値も高くなる。また、閑散時間帯や繁忙時間帯など時間帯ごとに第１および第２動作プログラムを変えることも可能なため、来客数の実態に適合した装置運営が可能となる。さらに、複数のディスプレイを備えた１つの筐体で第１および第２動作プログラムによる複数の利用態様が提供できるので、コストパフォーマンスが高くなる。
【００３２】
本発明のプリント用紙ユニットは、プリンタに使用されるプリント用紙と、上記プリント用紙のプリント供給可能枚数が記録される記憶手段とがセットの状態となり、請求項１〜１７のいずれか一項に記載の写真プリント供給装置に備えられた読取手段で上記記憶手段のプリント供給可能枚数が読み取られてその枚数だけ写真プリントが供給されるように構成されたことを要旨とする。
【００３３】
したがって、プリント用紙と、プリント供給可能枚数が記録される記憶手段とがセットになっているので、プリント用紙を上記の写真プリント供給装置に装填することにより、読取手段で記憶手段のプリント供給可能枚数を読み取り、良好な背景画像がプリントされた写真プリントが、上記の読取り枚数値に即して供給される。
【００３４】
本発明のプリント用紙ユニットは、上記プリンタに使用されるプリント用紙を備えたプリント用紙ユニットであって、上記プリント用紙には当該プリント用紙を識別する識別情報が付されており、請求項１〜１７のいずれか一項に記載の写真プリント供給装置に備えられた読取手段で上記識別情報が読み取られることにより写真プリントが供給されるように構成されたことを要旨とする。
【００３５】
したがって、上記写真プリント供給装置固有の性能やよりすぐれた写真プリントの仕上り品質等にとって最適のプリント用紙であるか否かが、識別情報によって判別することができるので、識別情報の読み取り結果に応じて写真プリント供給装置を動作させないようにすることができ、利用者によりすぐれた品質の写真プリントの提供ができる。また、プリント用紙等の偽造品が流出することを防ぐことができる。
【００３６】
本発明のプリント用紙ユニットは、上記プリンタに使用されるプリント用紙と、上記プリント用紙に画像をプリントするインクリボン等の記録材料がセットの状態となり、上記プリント用紙または記録材料には当該プリント用紙または記録材料を識別する識別情報が付されており、請求項１〜１７のいずれか一項に記載の写真プリント供給装置に備えられた読取手段で上記識別情報が読み取られることにより写真プリントが供給されるように構成されたことを要旨とする。
【００３７】
したがって、上記写真プリント供給装置固有の性能やよりすぐれた写真プリントの仕上り品質等にとって最適のプリント用紙または記録材料であるか否かが、識別情報によって判別することができるので、識別情報の読み取り結果に応じて写真プリント供給装置を動作させないようにすることができ、背景画像を含めて利用者によりすぐれた品質の写真プリントの提供ができる。また、プリント用紙等の偽造品が流出することを防ぐことができる。
【発明を実施するための最良の形態】
【００３８】
つぎに、本発明の実施の形態を詳しく説明する。
【００３９】
図１〜図３は、本発明の写真プリント供給装置の一実施の形態を示す図である。図１は写真プリント供給装置全体の断面図、図２は編集プレイの模様を示す側面図、図３は編集用ディスプレイの部分の平面図である。
【００４０】
この写真プリント供給装置は、図１に示すように、正面や内部に各種の装置が設けられた筐体１を備え、上記筐体１の正面側（図１の右側）で撮影プレイを行ない、背面側（図１の左側）で撮影画像の編集プレイを行うようになっている。
【００４１】
上記筐体１の正面側には、被写体２のバックとなる領域に、バックスクリーンユニット３が設けられている。上記筐体１とバックスクリーンユニット３は、天井部４ａと支持枠材４ｂで連結されており、天井部４ａにはその出入口となる部分にカーテン５ａが吊設されている。そして、上記筐体１，バックスクリーンユニット３，天井部４ａ，カーテン５ａにより、本発明における撮像領域である撮影空間３１を形成する撮影ボックスが形成されている。このように、本発明における撮影ボックスとは、完全な箱状のものに限らず、壁や天井を幕状のシートで完全および／または不完全に仕切ったものを含む趣旨である。
【００４２】
一方、上記筐体１には、その背面側に突出するように支持枠材４ｃが取り付けられ、その先端部にカーテン５ｂが吊設されている。そして、上記筐体１の背面側とカーテン５ｂとの間に、編集空間３２が形成されている。
【００４３】
上記筐体１の正面には、プレイの対価としての硬貨を投入する硬貨投入口１５が設けられ、この硬貨投入口１５の近傍に設けられた対価受領部としての硬貨検出部１６が設けられている。そして、上記硬貨検出部１６が投入された硬貨を検出することにより、撮影プレイが開始され、撮影プレイ後に撮影画像に対して編集プレイを行い、編集された撮影画像がプリントされ提供されるようになっている。
【００４４】
上記筐体１の内部には、撮影空間３１内の使用者２を含む被写体２を撮像するカメラ６が設けられ、筐体１の前面は透明板１０で覆われている。上記透明板１０の周囲には、半透明の乳白板１１が設けられ、上記乳白板１１の背後には、撮影プレイ中において、上記カメラ６による撮像中に被写体２を常時照明する正面蛍光灯１７と、シャッタ操作によって静止画を撮影するときに発光させる正面ストロボ７とが設けられている。
【００４５】
上記正面蛍光灯１７と正面ストロボ７は、前面照明手段を構成するものであり、正面蛍光灯１７は、撮像映像確認用の常灯照明であり、これに並置された正面ストロボ７は、撮影用のストロボ照明である。そして、撮影時にはストロボ照明が発光し、後述するモニタ２０による撮像映像確認時には常灯照明が照明するようになっている。
【００４６】
上記乳白板１１のうち被写体２が見下ろす側に位置している乳白板１１の中央部に、上記カメラ６で撮影された動画としての撮像映像を表示する表示手段としてのモニタ２０が設けられている。
【００４７】
上記モニタ２０の近傍に、撮影プレイの操作を行なう操作パネル（図示していない）が設けられている。上記操作パネルには、操作入力の選択入力や切換入力を行う切換ボタンと、上記切換ボタンの選択入力や切換入力を決定する決定ボタンと、決定した入力を一旦キャンセルするキャンセルボタン等が設けられている。上記切換ボタンは、右側と左側にそれぞれ１組ずつ設けられ、それぞれ選択入力や切換入力を行いうるようになっている。
【００４８】
上記切換ボタンは、切換入力手段として機能するもので、後述するように、フレームや背景の記憶画像の切換入力を可能とする。また、上記決定ボタンは、本発明のシャッタ手段として機能するもので、この決定ボタンの操作によってカメラ６により被写体２の静止画を撮影する。
【００４９】
また、上記筐体１の正面には、プレイ待ち状態の際のデモンストレーション音声や撮影プレイの際の案内音声等を出力するスピーカ１８が設けられている。
【００５０】
上記バックスクリーンユニット３は、ある程度の光透過性を有するバックスクリーン２６を備えている。このバックスクリーン２６の被写体２とは反対側には、撮影プレイ中において、上記カメラ６による撮像中に被写体２を常時照明するバック蛍光灯２８と、シャッタ操作によって静止画を撮影するときに発光させるバックストロボ２７とが設けられている。上記バック蛍光灯２８とバックストロボ２７とは、本発明のバック照明手段を構成している。上記バックスクリーン２６は、記憶画像である背景と被写体２の撮影画像との合成が行ないやすい色に着色されている。例えば、上記合成がクロマキー合成で行なわれる場合には、ブルースクリーン等が好適に用いられる。
【００５１】
一方、天井部４ａには天井ストロボ２４が取り付けられていて、撮影時に上記正面ストロボ７，バックストロボ２７と同時に閃光を発するようになっている。
【００５２】
また、筐体１内には、写真プリント供給装置全体を動作させるコンピュータ装置２１が収容されていて、後述の編集プレイに必要な撮影画像の読み出しや、撮影画像と手書き画像との画像合成等において機能するようになっている。
【００５３】
上記撮影空間３１とは別個に存在させた編集空間３２には、編集用筐体２２が上記筐体１に隣接させた状態で配置されている。そして、上記編集用筐体２２は、筐体１とは別の筐体として配置されている。このように、編集用筐体２２と筐体１とを別個に形成することにより、両筐体２２と１を図８，図１３，図１４，図１５等に示すように、離隔させて遊戯施設のスペース事情に合致させることができ、さらに両筐体２２，１の相対位置を種々変更して使いやすい写真プリント供給装置が構成できる。上記編集用筐体２２の高さは筐体１よりも低く設定してあり、例えば、高校生の腰から胸の辺りまでのあいだの高さにすることにより、後述の編集用のディスプレイで編集プレイを行いやすくすることができる。
【００５４】
また、図１に示すように、筐体１の左右にそれぞれ撮影空間３１と編集空間３２とが振り分けられた配置とされ、編集空間３２に編集用筐体２２が配置されている。したがって、筐体１があたかも空気層を有する遮音構造体のような機能を果たすので、編集プレイ中のにぎやかな会話の声等が撮影空間３１にいる使用者２へは聞こえにくくなり、撮影プレイをする使用者２にとって、騒々しく感じることが軽減される。
【００５５】
上記編集用筐体２２の上方部には、使用者２の手前側が低くなるように傾斜した編集入力パネル２３ａ，２３ｂが対をなした状態すなわち家屋の屋根のような状態で配置されている。この編集入力パネル２３ａ，２３ｂには、それぞれ編集用のディスプレイ２５ａ，２５ｂが配置されていて、上記ディスプレイ２５ａ，２５ｂの表示画面３０ａ，３０ｂに映し出された撮影画像に、タッチペン２９ａ，２９ｂを用いて手書き画像を入力したり、スタンプ画像を選定して入力したりして、編集プレイがなされるようになっている。このようにして編集された各種の画像はコンピュータ装置２１においてデータ上の合成がなされる。なお、符号８は、編集空間３２を照明する編集空間用蛍光灯であり、筐体１内に取付けられている。
【００５６】
上記の表示画面３０ａ，３０ｂの左右方向の方向線は略平行になっていて、第１ディスプレイであるディスプレイ２５ａと第２ディスプレイであるディスプレイ２５ｂの各表示画面３０ａ，３０ｂの向きが略反対方向に向けられている。また、この表示画面３０ａ，３０ｂの左右方向は、図１における上記撮影空間３１の左右方向と同じ向きとされている。
【００５７】
上記編集用筐体２２を構成する鋼板等の板材を加工して、編集用筐体２２の上部には略水平な台１９が形成されている。このような台１９を設けることにより、使用者２の手荷物等を目に付きやすい箇所に置くことができ、忘れ物や盗難防止にとって有効である。
【００５８】
上記のように、編集用のディスプレイ２５ａ，２５ｂが低い位置で傾斜しているので、使用者２は表示画面３０ａ，３０ｂが見やすくしかもタッチペン２９ａ，２９ｂの操作も行ないやすくなる。
【００５９】
編集用筐体２２の内部空間には、上記の合成された画像データがコンピュータ装置２１から送信されて写真プリントとして出力する共用のプリンタ３３が配置されている。このプリンタ３３の送出口３４は、編集用筐体２２の外壁面から窪んだ形状とされ、その上方から印刷媒体３５が出てくるようになっている。上記プリンタ３３の送出口３４は、筐体２２の横側面すなわち横側板２２ｃの略中央部に開口（図３参照）させてある。このように対面した両側の使用者２から略等距離の位置に送出口３４が配置されているので、両使用者２は片手を延ばす程度の動作で簡単に写真プリントを取出すことができる。さらに、１台のプリンタで複数のディスプレイの画像データをコンピュータ装置２１から受信して写真プリントとして出力するので、ユニット（プリンタ）の数量を最小限にして、構造簡素化や原価低減を図ることができる。
【００６０】
上記のように、複数のディスプレイ２５ａ，２５ｂの表示画面３０ａ，３０ｂの向きが略反対方向に向けられているので、複数の使用者が差し向かいで話し合ったり、あるいは編集中のディスプレイ画面を覗き込んだりして、楽しみながら上記合成画像を生成し、写真プリントとして出力させることができる。
【００６１】
すなわち、上記第１・第２両ディスプレイ２５ａ，２５ｂはそれぞれの表示画面３０ａ，３０ｂの向きが略反対方向に向けられているので、上記両ディスプレイ２５ａ，２５ｂを見ながら編集プレイを行う使用者達が、ちょうど向い合うことになるので、友達同士の楽しい会話を交わしながら編集プレイができ、顧客の満足度をより一層高めることができる。さらに、第１・第２両ディスプレイ２５ａ，２５ｂの表示画面３０ａ，３０ｂが上記のような向きになっているので、使用者２は向い側の友達の顔を見たり表示画面３０ａ，３０ｂを見たりするときに、視線を大きく変えないですみ、編集ミスの低減や目の疲れが軽減できる。また、第１・第２両ディスプレイ２５ａ，２５ｂのあいだの空間を出きるだけ小さくすることができるので、写真プリント供給装置の小型化にとって有利である。
【００６２】
なお、図１においては、コンピュータ装置２１が筐体１に収容されている状態が実線で図示されているが、これに代えてコンピュータ装置２１を２点鎖線で示すように、編集用筐体２２内に収容することができる。これにより、ディスプレイ２５ａ，２５ｂを装備している筐体２２内に上記機能のコンピュータ装置２１が収容されるので、筐体２２の内部空間の有効活用ができるのと同時に、コンピュータ装置２１が設置されていない方の筐体１を小型化でき、写真プリント供給装置全体としてコンパクトな状態となる。
【００６３】
図４〜図６は、本発明の写真プリント供給装置の第２の実施の形態を示す。
【００６４】
この実施の形態は、上記第１ディスプレイ２５ａと第２ディスプレイ２５ｂのあいだに遮蔽部材９が配置されている。上記遮蔽部材９は、合成樹脂製等の不透明板で作られており、台１９の中央部から起立させてある。このような板状の遮蔽部材９の場合には、台１９や筐体１の背面に止め金を取付けて着脱可能にすることができる。この止め金としては、いろいろなものが採用できるが、例えば、短冊状のばね鋼板をコ字型に形成して台１９や筐体１の背面に取付け、このコ字型の部分で板状の遮蔽部材９の端縁を弾性的に挟みつける。また、板状の遮蔽部材９に代えて、布製カーテンや蛇腹式カーテンを配置して、開閉可能とすることができる。さらに、遮蔽部材９を電動式の自動開閉型にすることも可能である。それ以外は、上記実施の形態と同様であり、同様の部分には同じ符号を付している。
【００６５】
したがって、見知らない使用者２同士が差し向かいになっても、気が散らないで編集に集中することができ、また、使用者２同士はお互いに自己のディスプレイ２５ａまたは２５ｂを覗き込まれることもなく、プライバシーを保って安心した気持ちで編集プレイができる。また、見知らない使用者２同士が編集プレイをするときには、遮蔽部材９を取付けておき、友達同士が編集プレイをするときには、遮蔽部材９を外しておく。このような使い分けをすることにより、上記のような友達同士で楽しんだり見知らない使用者同士の気遣いをなくしたりすることができ、使いやすい写真プリント供給装置がえられる。
【００６６】
さらに、遮蔽部材９を閉じておき、友達同士が編集プレイをするときには、遮蔽部材９を開いておく。このような使い分けをすることにより、上記のような友達同士で楽しんだり見知らない使用者同士の気遣いをなくしたりすることができ、使いやすい写真プリント供給装置がえられる。また、開閉式とすることにより、遮蔽部材９を写真プリント供給装置に組みこんでおき、簡単な取扱いで開閉することができ、さらには、動作ボタンの操作だけで自動開閉の構造とすることも可能である。それ以外は、上記実施の形態と同様の作用効果を奏する。
【００６７】
また、図６に示すように、プリンタ３３の送出口３４の近傍、ここでは上側に表示ランプ３６ａ，３６ｂが設けられている。表示ランプ３６ａが点灯しているときには、ディスプレイ２５ａで編集された画像がプリント中であることを表示し、表示ランプ３６ｂが点灯しているときには、ディスプレイ２５ｂで編集された画像がプリント中であることを表示するようになっている。なお、表示ランプ３６ｃは、プリンタ３３の動作等にエラーがあったことを表示するエラーランプである。
【００６８】
上記のような表示ランプ３６ａ，３６ｂ等を配置しておくことにより、遮蔽部材９を機能させて、別の知らないグループの使用者が編集プレイをするときに、どちらのグループのプリンタが動作中であるかを知らせることができる。したがって、別の使用者がプリント中であることを他方の使用者が承知して、いらいらすることなく自分の写真プリントが出てくるのを待つことができる。
【００６９】
また、この場合において、例えば、一方のディスプレイ２５ａで編集された画像がプリンタ３３でプリント中であるときは、「いま向かいの人がプリント中です」のような、当該一方のディスプレイ２５ａによる編集画像がプリント中である旨のメッセージを他方のディスプレイ２５ｂに表示することができる。このようにすることにより、編集作業中に、向かいの利用者２がプリンタ３３を使用中であることが他方の利用者２にわかり、いらいらすることなく自分の写真プリントが出てくるのを待つことができる。
【００７０】
また、プリンタ３３の稼動状況を検知する検知手段を設け、一方のディスプレイ２５ａで編集された画像がプリンタ３３でプリント中であるときは、上述した「いま向かいの人がプリント中です」のようなメッセージを他方のディスプレイ２５ｂに表示するとともに、当該向かいの利用者２によるプリントが終了するまで、他方のディスプレイ２５ｂによる編集プレイのプレイ時間を延長することもできる。このようにすることにより、プリンタ３３を使用中であることが他方の利用者２にわかっていらいらすることがなくなるだけでなく、自分のプレイ時間が延長されるため、利用者２にお得感を与えて不満を解消することができる。
【００７１】
図７は、本発明の写真プリント供給装置の第３の実施の形態を示す。
【００７２】
この実施の形態は、上記写真プリントを出力するプリンタが、上記各ディスプレイ毎に配置されている。第１ディスプレイ２５ａで編集された画像を印刷するプリンタ３３ａが第１ディスプレイ２５ａ専用のものとして設けられ、第２ディスプレイ２５ｂで編集された画像を印刷するプリンタ３３ｂが第２ディスプレイ２５ｂ専用のものとして設けられている。各プリンタ３３ａ，３３ｂの取付け箇所は、それらの送出口３４ａ，３４ｂが使用者２の正面に位置するように設定されている。すなわち、筐体２２の正面側板２２ａ，２２ｂに送出口３４ａ，３４ｂが開口している。それ以外は、上記各実施の形態と同様であり、同様の部分には同じ符号を付している。
【００７３】
各ディスプレイ２５ａ，２５ｂ専用のプリンタ３３ａ，３３ｂを動作させることにより、各ディスプレイ２５ａ，２５ｂで作成された画像が、コンピュータ装置２１からの合成画像データを受信して直ちに写真プリントとして出力され、使用者２の待ち時間を実質的になくすことができる。また、各ディスプレイ２５ａ，２５ｂ専用のプリンタであるから、見知らない使用者２同士が同時に編集プレイを行なっても、出力された写真プリントをお互いに見られることが防止でき、プライバシー保護の点において好適である。それ以外は、上記各実施の形態と同様の作用効果を奏する。
【００７４】
図８は、本発明の写真プリント供給装置の第４の実施の形態を示す。
【００７５】
この実施の形態は、撮影空間３１と編集空間３２とが、仕切壁部材３７で区分され、編集用筐体２２は撮影領域外に配置されている。そして、編集用筐体２２は、上記仕切壁部材３７から独立した状態で編集空間３２に配置されている。それ以外は、上記各実施の形態と同様であり、同様の部分には同じ符号を付している。
【００７６】
上記構成により、撮影領域すなわち撮影空間３１（撮影ブース）と編集用筐体２２を分離させて配置することができるので、遊戯施設のスペース事情に適合させた筐体２２の配置が可能となる。このような分離した配置により、遊戯施設の狭いスペースを有効に活用したり、使用者２の移動を行ないやすくしたりすることができる。編集プレイ用のユニットである筐体２２やそれに取付けられているディスプレイ２５ａ，２５ｂ等を規格品として量産しておき、撮影空間３１の態様に合わせて筐体２２を配置し、使いやすい編集プレイ用のユニットが設置できる。例えば、筐体２２を図８に示す向きから９０度回した位置に配置することができる。また、上記のように規格品として量産することにより、原価低減にとって有効である。それ以外は、上記各実施の形態と同様の作用効果を奏する。
【００７７】
また、上記の配置とは逆に、編集用筐体２２を撮影領域である撮影空間３１内に配置した場合には、写真プリント供給装置のコンパクト化にとって好都合である。また、撮影プレイと編集プレイとが１箇所で行なえるので、使用者２は移動する必要がなく、移動の煩わしさのない楽な写真プリントの供給が受けられる。さらに、友達同士の使用者２達が撮影プレイと編集プレイを平行して同時に楽しむことも可能である。
【００７８】
図９は、本発明の写真プリント供給装置の第５の実施の形態を示す。
【００７９】
この実施の形態は、上記第１ディスプレイ２５ａと第２ディスプレイ２５ｂは、それらの表示画面３０ａ，３０ｂの左右方向の方向線が略鋭角をなした位置関係になっている。それに伴って台１９が広い面積の略三角形になっている。それ以外は、上記各実施の形態と同様であり、同様の部分には同じ符号を付している。
【００８０】
上記両ディスプレイ２５ａ，２５ｂを見ながら編集プレイを行う使用者２達が、略向い合うことになるので、友達同士の楽しい会話を交わしながら編集プレイができ、顧客の満足度をより一層高めることができる。さらに、第１・第２両ディスプレイ２５ａ，２５ｂの表示画面３０ａ，３０ｂが上記のような向きになっているので、使用者２は向い側の友達の顔を見たり表示画面３０ａ，３０ｂを見たりするときに、視線を大きく変えないですみ、編集ミスの低減や目の疲れが軽減できる。第１・第２両ディスプレイ２５ａ，２５ｂのあいだの空間を出きるだけ小さくすることができるので、筐体２２ができるだけ小さくなり、写真プリント供給装置の小型化にとって有利である。
【００８１】
図１０は、本発明の写真プリント供給装置の第６の実施の形態を示す。
【００８２】
この実施の形態は、上記第１ディスプレイ２５ａと第２ディスプレイ２５ｂは、それらの表示画面３０ａ，３０ｂの左右方向の方向線が略鈍角をなした位置関係になっている。また、編集用筐体２２が図１０の左右方向に広がった形態となっている。それ以外は、上記各実施の形態と同様であり、同様の部分には同じ符号を付している。
【００８３】
上記両ディスプレイ２５ａ，２５ｂを見ながら編集プレイを行う使用者２達が、斜め向いに向い合うことになるので、友達同士の楽しい会話を交わしながら、あるいは、一方の使用者２が他方の使用者２のディスプレイ２５ａまたは２５ｂを覗き込みながら編集プレイができ、顧客の満足度をより一層高めることができる。さらに、第１・第２両ディスプレイ２５ａ，２５ｂの表示画面３０ａ，３０ｂが上記のような向きになっているので、使用者は斜め向いの友達の顔を見たり表示画面３０ａ，３０ｂを見たりするときに、視線を大きく変えないですみ、編集ミスの低減や目の疲れが軽減できる。
【００８４】
また、第１・第２両ディスプレイ２５ａ，２５ｂの表示画面３０ａ，３０ｂの左右方向が略鈍角をなした位置関係になっているので、例えば、両ディスプレイ２５ａ，２５ｂの背後に配置した筐体１の壁部材と両ディスプレイ２５ａ，２５ｂとの間隔をできるだけ小さくすることができ、同時に、両ディスプレイ２５ａ，２５ｂは上記のように鈍角関係になっているので、ディスプレイ２５ａ，２５ｂの並び方向の寸法を制限することができ、写真プリント供給装置の小型化にとって有利である。このような配置により、図１の左右方向の寸法を縮めることが行ないやすくなる。それ以外は、上記各実施の形態と同様の作用効果を奏する。
【００８５】
図１１および図１２は、上記の各実施の形態の全体的な外観形状を骨格部分を主体にして示す斜視図である。なお、両図に示されたプリンタの送出口３４ａが筐体１の横に開口させてあるが、この送出口３４ａの反対側の筐体１に送出口３４ｂ（図示していない）を開口させて、図７に示した第３の実施の形態と同様な効果をえることができる。
【００８６】
図１３は、本発明の写真プリント供給装置の第７の実施の形態を示す。
【００８７】
この実施の形態は、写真撮影に必要な筐体１，バックスクリーンユニット３，撮影空間３１等をユニット状態にして独立させ、他方、編集プレイを行う編集用筐体２２のディスプレイ等と筐体１内のコンピュータ装置２１とをネットワークケーブル３８で接続してある。それ以外は、上記各実施の形態と同様であり、同様の部分には同じ符号を付している。
【００８８】
したがって、撮影領域すなわち撮影空間３１（撮影ブース）と編集用筐体２２を分離させて配置することができるので、遊戯施設のスペース事情に適合させた筐体２２の配置が可能となる。このような分離した配置により、遊戯施設の狭いスペースを有効に活用したり、使用者２の移動を行ないやすくしたりすることができる。それ以外は、上記各実施の形態と同様の作用効果を奏する。
【００８９】
図１４は、本発明の写真プリント供給装置の第８の実施の形態を示す。
【００９０】
この実施の形態は、写真撮影に必要な筐体１，バックスクリーンユニット３，撮影空間３１等をユニット状態にして独立させて、４箇所で撮影プレイが行なえるようになっており、各撮影プレイ箇所から編集用筐体２２のディスプレイ等の機器にネットワークケーブル３８で接続されている。
【００９１】
ここでの編集用筐体２２に装備されているディスプレイは、上記第１ディスプレイ２５ａおよび第２ディスプレイ２５ｂに加えて第３ディスプレイ２５ｃおよび第４ディスプレイ２５ｄにより構成され、そのために４つの編集入力パネル２３ａ，２３ｂ，２３ｃ，２３ｄが四角錐台型とされていて、上記各ディスプレイの表示画面３０ａ，３０ｂ，３０ｃ，３０ｄの左右方向の各方向線が略直交した位置関係になっている。それ以外は、上記各実施の形態と同様であり、同様の部分には同じ符号を付している。
【００９２】
したがって、４名の使用者２が同時に編集プレイを行うことができ、向い合わせや隣合わせ同士で楽しく話し合いながら編集プレイができる。さらに、第１・第２両ディスプレイ２５ａ，２５ｂおよび第３，第４のディスプレイ２５ｃ，２５ｄの表示画面３０ａ，３０ｂ，３０ｃ，３０ｄが上記のような向きになっているので、使用者２は正面や斜め向いの友達の顔を見たり自己の表示画面を見たりするときに、視線を大きく変えないですみ、編集ミスの低減や目の疲れが軽減できる。４つの編集用ディスプレイ２５ａ，２５ｂ，２５ｃ，２５ｄが１箇所に集約されるので、４つのディスプレイを少ないスペースの場所に配置できる。また、４つの編集用ディスプレイを１箇所に集約することにより、撮影領域すなわち撮影プレイを遂行する場所と編集プレイを遂行する場所を区分して、遊戯施設場等のスペース環境に応じた写真プリント供給装置の配置が実現する。それ以外は、上記各実施の形態と同様の作用効果を奏する。
【００９３】
また、上記四角錐台型の編集用筐体２２を、遊戯施設の壁に直付けするときには、３つの編集入力パネルとしたり、三角錐台型の編集用筐体２２にして第４ディスプレイ２５ｄを採用しないこともある。
【００９４】
図１５は、本発明の写真プリント供給装置の第９の実施の形態を示す。
【００９５】
この実施の形態は、写真撮影に必要な筐体１，バックスクリーンユニット３，撮影空間３１等をユニット状態にして独立させて、２箇所で撮影プレイが行なえるようになっており、各撮影プレイ箇所から集線装置（ＨＵＢ）３９を介して編集用筐体２２のディスプレイ等の機器にネットワークケーブル３８で接続されている。この場合には、各筐体１，２２内にそれぞれの各種機器類を動作させるコンピュータ装置が配置されている。それ以外は、上記各実施の形態と同様であり、同様の部分には同じ符号を付している。
【００９６】
したがって、編集プレイの箇所が多数配置できるので、時間のかかる編集プレイを複数の利用者２が行なっても、待ち時間が著しく短いあるいは待たないで編集プレイを完了させて、写真プリントを出力させることができる。それ以外は、上記各実施の形態と同様の作用効果を奏する。
【００９７】
上記の各実施の形態において説明された各図の部分構成を複合して、本発明の写真プリント供給装置の第１０の実施の形態が形成される。
【００９８】
すなわち、上記複数のディスプレイ２５ａ，２５ｂ（図３，図４，図５参照）あるいは２５ａ，２５ｂ，２５ｃ，２５ｄ（図１４参照）等の表示画面３０ａ，３０ｂあるいは３０ａ，３０ｂ，３０ｃ，３０ｄ等の向きが異なった方向に向けられ、上記複数のディスプレイ２５ａ，２５ｂあるいは２５ａ，２５ｂ，２５ｃ，２５ｄ等のあいだに着脱または開閉可能な遮蔽部材９が配置され、上記遮蔽部材９が除去された状態のままで複数の利用者２が同時に複数のディスプレイ２５ａ，２５ｂあるいは２５ａ，２５ｂ，２５ｃ，２５ｄ等に手書き画像等を入力できる第１の動作プログラムと、上記遮蔽部材９が存置された状態のままで複数の利用者２が同時または相前後して複数のディスプレイ２５ａ，２５ｂあるいは２５ａ，２５ｂ，２５ｃ，２５ｄ等に手書き画像等を入力できる第２の動作プログラムとが、写真プリント供給装置を動作させるコンピュータ装置２１に設けられ、上記第１および第２動作プログラムを選択する選択手段が設けられている。
【００９９】
上記遮蔽部材９は、図３，図８，図９，図１０，図１３，図１５等においては、台１９の中央部に配置され、また、図１４の場合には、各編集入力パネル２３ａ，２３ｂ，２３ｃ，２３ｄの境界部（稜線部）に設けられる。
【０１００】
上記選択手段は図示されていないが、コンピュータ装置２１における通常の選択手法で実施することができる。また、写真プリント供給装置の装備されたテストモードやメンテナンスモードを装置運営者が操作することにより、上記の選択機能を果たすことができる。
【０１０１】
したがって、上記第１動作プログラムが選択されているときには、遮蔽部材９が除去されているとともに複数のディスプレイ２５ａ，２５ｂあるいは２５ａ，２５ｂ，２５ｃ，２５ｄ等が使用可能とされているので、友達同士の楽しい会話を楽しみながら、あるいは友達の表示画面３０ａ，３０ｂあるいは３０ａ，３０ｂ，３０ｃ，３０ｄ等を覗いたりしながら編集プレイができ、顧客の満足度をより一層高めることができる。また、上記第２動作プログラムが選択されているときには、遮蔽部材９が存置されているとともに複数のディスプレイが使用可能とされているので、見知らない利用者同士のプライバシーを守ることができる。さらに、複数の見知らない利用者２が撮影プレイを順次終了してきても、引続いて複数のディスプレイを用いて同時または相前後して手書き入力等が行なえる。このような手書き入力等の編集プレイは比較的長時間を要するのであるが、複数のディスプレイ２５ａ，２５ｂあるいは２５ａ，２５ｂ，２５ｃ，２５ｄ等の空いている方のディスプレイを使用することにより、利用者２の編集プレイ待ちがなくなって、装置可動の回転率を高めることができる。
【０１０２】
上記第１０の実施の形態において、第１・第２動作プログラムの選択手段として、遮蔽部材９の有無に相関させた手法を用いることも可能である。その一例として、遮蔽部材９が存置されているかどうかを検出する手段（例えば、マイクロスイッチ等）を設け、遮蔽部材９が存在しないと判定された場合は、上記第１動作プログラムが動作し、遮蔽部材９が存在している判定された場合は、上記第２動作プログラムが動作するように構成しておくのである。このような手法の場合は、装置運営者が上記のようなテストモード等で選択する手間を省くことができる。
【０１０３】
また、この実施の形態においては、第１動作プログラムの下で本装置を利用する複数の利用者は、同じグループの顧客のうちのそれぞれの利用者であり、第２動作プログラムの下で本装置を利用する複数の利用者は、別のグループの見知らない人同士の顧客である。第１動作プログラムでは、撮影終了後に同じ顧客のうちそれぞれの利用者が複数のディスプレイのそれぞれの前に移動し、手書き画像を、特別な電話等の用事がないかぎり、ほぼ同じタイミングで開始する。
【０１０４】
他方、これに対して、第２動作プログラムでは、撮影終了後にどのディスプレイが空いているかの判定がプログラムの動作状況等からコンピュータ装置２１でなされ、そのディスプレイへのガイド表示や音声案内等により利用者が誘導され、手書き画像等の入力を開始する。つまり、第２動作プログラムでは、複数の利用者が同時に複数のディスプレイで手書き画像等を入力する場合においても、見知らない人同士であることから、入力を開始するタイミングはそれぞれ異なるタイミングとなる。
【０１０５】
換言すると、第１動作プログラムでは、複数のディスプレイそれぞれにおいて手書き画像等の入力動作が、必ずといえるくらい同時に進行するため、いずれかのディスプレイで手書き入力が動作していない状態はありえない（手書き画像入力開始後、強制的に終了した場合を除く）が、第２動作プログラムでは、複数のディスプレイのうち、手書き画像等の入力動作がされていないディスプレイが存在する場合もある。
【０１０６】
さらに、この実施の形態において、第１動作プログラムおよび第２動作プログラムはそれぞれ単独で動作可能なものであれば、特に構成は限定せず、それぞれ独立のプログラムであってもよいし、１つの動作プログラムの中に含まれるそれぞれの第１のサブルーチン，第２のサブルーチンのような構成であってもよい。１つのプログラムに第１のサブルーチン，第２のサブルーチンのような構成で含まれる場合は、装置を再起動することなく、第１の動作と第２の動作を切換えることが可能となる。
【０１０７】
上記のように、第１および第２動作プログラムが選択できるので、装置運営者は、顧客満足度を高めたい、または顧客回転率を高めたい等の設置場所の事情に合わせて、１台の装置を臨機応変に使い分けることができ、設置面積あたりの装置の付加価値も高くなる。また、閑散時間帯や繁忙時間帯など時間帯ごとに第１および第２動作プログラムを変えることも可能なため、来客数の実態に適合した装置運営が可能となる。さらに、複数のディスプレイ２５ａ，２５ｂあるいは２５ａ，２５ｂ，２５ｃ，２５ｄ等を備えた１つの筐体２２で第１および第２動作プログラムによる複数の利用態様が提供できるので、コストパフォーマンスが高くなる。
【０１０８】
この第１０の実施の形態の考え方を踏襲して、図１５に示すように、第１動作プログラムを選択して特定の筐体２２（例えば１台）のディスプレイやタッチペン等の各種機器を使用可能とし、第２動作プログラムを選択して複数の筐体２２（例えば３台）の各種機器を使用可能とするようにしてもよい。こうすることにより、上述の第１０の実施の形態と同様の作用効果がえられる。
【０１０９】
図１６〜図１８は、本発明のプリント用紙ユニットの実施の形態を示す。以下に説明する各プリント用紙ユニットは、上述の写真プリント供給装置に供給され、プリンタ３３，３３ａ，３３ｂで用いられて写真プリントを生成するためのプリント用紙ユニットである。
【０１１０】
図１６に示すプリント用紙ユニットは、ＩＣチップやＩＣカード等の記憶手段４２と、写真プリント供給装置のプリンタ３３，３３ａ，３３ｂ等で使用されるプリント用紙４０とがセットとして写真プリント供給装置に供給されるものである。この例では、上記プリント用紙４０としてロール状のものを示している。上記記憶手段４２には、この記憶手段４２とセット供給されるプリント用紙４０における、供給対象である装置で印刷出力可能な写真プリントの枚数すなわちプリント供給可能枚数が記録されている。一方、写真プリント供給装置には、上記記憶手段４２に記憶された情報を読み取る読取手段４１が設けられている。
【０１１１】
そして、上記プリント用紙ユニットを写真プリント供給装置に使用する場合には、記憶手段４２を読取手段４１にセットするとともに、プリント用紙４０をプリンタ３３，３３ａ，３３ｂ等に装填する。そして、上記読取手段４１で記憶手段４２のプリント供給可能枚数が読み取られ、プリンタ３３，３３ａ，３３ｂ等ではセットで供給されたプリント用紙４０に印刷が行なわれて写真プリントの供給が行なわれるのであるが、このとき、上記読取手段４１でセット供給された記憶手段４２から読み取られたプリント供給可能枚数だけ印刷を行なって写真プリントを供給し、その後は次の記憶手段４２とプリント用紙４０が供給されるまではプリントの供給を停止するようになっている。
【０１１２】
上述のような動作を実現するためのシステム構成としては、図示していないが、読取手段４１からの読取データを、上記コンピュータ装置２１に設けた出力枚数制限部に供給し、出力枚数制限部では読み取られたプリント供給可能枚数だけ写真プリントを印刷すると、その後は次の記憶手段４２が供給されるまでプリントの出力を制限することにより行なわれる。なお、プリント供給可能枚数の残り枚数が所定枚数に達したら、つぎのプリント用紙を準備するようアラームを発することも可能である。こうすることにより、顧客を待たせることなく回転率の高い写真プリント供給装置の運営ができる。上記読取手段４１がプリンタ３３，３３ａ，３３ｂ等の内部に備わる場合は、プリンタ内部で検出された情報を上記コンピュータ装置２１に送信し制御し、プリンタ外部に備わる場合には、コンピュータ装置２１で読取られ制御される。
【０１１３】
図１７に示すプリント用紙ユニットは、ＩＣチップやＩＣカード等の記憶手段４２を備えておらず、写真プリント供給装置のプリンタ３３，３３ａ，３３ｂ等で使用されるプリント用紙４０が写真プリント供給装置に供給されるものである。この例では、上記プリント用紙４０としてロール状のものを示している。上記プリント用紙４０には、当該プリント用紙４０の真偽を識別する識別情報がバーコード等により付されている（図示せず）。そして、写真プリント供給装置には、プリンタ３３，３３ａ，３３ｂ等に装填されたプリント用紙４０の識別情報を読み取る読取手段４１が設けられている。
【０１１４】
そして、上記プリント用紙ユニットを写真プリント供給装置に使用する場合には、プリント用紙４０をプリンタ３３，３３ａ，３３ｂ等に装填する。そして、上記読取手段４１でプリント用紙４０の識別情報が読み取られ、その識別情報を、上記コンピュータ装置２１に設けた判定手段に供給し、判定手段では読み取られた識別情報が正しい場合にだけ写真プリントを印刷し、真正なものでない場合にはプリントの出力を行なわないようになっている。
【０１１５】
したがって、上記写真プリント供給装置固有の性能やよりすぐれた写真プリントの仕上り品質等にとって最適のプリント用紙であるか否かが、識別情報によって判別することができるので、識別情報の読み取り結果に応じて写真プリント供給装置を動作させないようにすることができ、利用者によりすぐれた品質の写真プリントの提供ができる。また、プリント用紙等の偽造品が市場に流出することを防ぐことができる。それ以外は、上記実施の形態と同様の作用効果を奏する。
【０１１６】
図１８に示すプリント用紙ユニットは、写真プリント供給装置のプリンタ３３，３３ａ，３３ｂ等で使用されるプリント用紙４０と、上記プリント用紙４０に画像をプリントするインクリボン等の記録材料４３がセットの状態となって写真プリント供給装置に供給されるものである。この例では、上記プリント用紙４０としてロール状のものを示している。図において４４は印刷ヘッドである。上記記録材料４３には、当該記録材料４３の真偽を識別する識別情報がバーコード等により付されている（図示せず）。そして、写真プリント供給装置には、プリンタ３３，３３ａ，３３ｂ等に装填された記録材料４３の識別情報を読み取る読取手段４１が設けられている。
【０１１７】
そして、上記プリント用紙ユニットを写真プリント供給装置に使用する場合には、プリント用紙４０および記録材料４３をプリンタ３３，３３ａ，３３ｂ等に装填する。そして、上記読取手段４１で記録材料４３の識別情報が読み取られ、その識別情報を、上記コンピュータ装置２１に設けた判定手段に供給し、判定手段では読み取られた識別情報が正しい場合にだけ写真プリントを印刷し、真正なものでない場合にはプリントの出力を行なわないようになっている。
【０１１８】
この例において、バーコード等の識別情報を記録材料４３ではなくプリント用紙４０に付し、読取手段４１は、プリンタ３３，３３ａ，３３ｂ等に装填されたプリント用紙４０の識別情報を読み取るようにしてもよい。また、図示した例は、プリンタ３３，３３ａ，３３ｂが、記録材料４３としてインクリボンを使用する昇華型プリンタ等の例であるが、記録材料４３としてカートリッジ式のインクを使用したインクジェット方式等のプリンタに適用することもできる。
【０１１９】
したがって、上記写真プリント供給装置固有の性能やよりすぐれた写真プリントの仕上り品質等にとって最適のプリント用紙４０であるか否かが、識別情報によって判別することができるので、識別情報の読み取り結果に応じて写真プリント供給装置を動作させないようにすることができ、利用者によりすぐれた品質の写真プリントの提供ができる。また、プリント用紙等の偽造品が市場に流出することを防ぐことができる。それ以外は、上記実施の形態と同様の作用効果を奏する。
【０１２０】
以上のように、上記のような写真プリント供給装置において、上記複数のディスプレイの表示画面の向きが異なった方向に向けられている。したがって、複数のディスプレイの表示画面を、編集プレイが遂行される状況に応じて種々な方向に向けておくことにより、複数の使用者が差し向かいで話し合ったり、あるいは編集中のディスプレイ画面を覗き込んだりして、楽しみながら上記合成画像を生成し、写真プリントとして出力させることができる。
【０１２１】
上記第１動作プログラムが選択されているときには、遮蔽部材が除去されているとともに複数のディスプレイが使用可能とされているので、友達同士の楽しい会話を楽しみながら、あるいは友達の表示画面を覗いたりしながら編集プレイができ、顧客の満足度をより一層高めることができる。また、上記第２動作プログラムが選択されているときには、遮蔽部材が存置されているとともに複数のディスプレイが使用可能とされているので、見知らない利用者同士のプライバシーを守ることができる。さらに、複数の見知らない利用者が撮影プレイを順次終了してきても、引続いて複数のディスプレイを用いて同時または相前後して手書き入力等が行なえる。このような手書き入力等の編集プレイは比較的長時間を要するのであるが、複数のディスプレイの空いている方のディスプレイを使用することにより、利用者の編集プレイ待ちがなくなって、装置可動の回転率を高めることができる。
【０１２２】
上記のように、第１および第２動作プログラムが選択できるので、装置運営者は、顧客満足度を高めたい、または顧客回転率を高めたい等の設置場所の事情に合わせて、１台の装置を臨機応変に使い分けることができ、設置面積あたりの装置の付加価値も高くなる。また、閑散時間帯や繁忙時間帯など時間帯ごとに第１および第２動作プログラムを変えることも可能なため、来客数の実態に適合した装置運営が可能となる。さらに、複数のディスプレイを備えた１つの筐体で第１および第２動作プログラムによる複数の利用態様が提供できるので、コストパフォーマンスが高くなる。
【０１２３】
さらに、本発明のプリント用紙ユニットによれば、プリント用紙と、プリント供給可能枚数が記録される記憶手段とがセットになっているので、プリント用紙を上記の写真プリント供給装置に装填することにより、読取手段で記憶手段のプリント供給可能枚数を読み取り、プリントされた写真プリントが、上記の読取り枚数値に即して供給される。また、上記写真プリント供給装置固有の性能やよりすぐれた写真プリントの仕上り品質等にとって最適のプリント用紙であるか否かが、識別情報によって判別することができるので、識別情報の読み取り結果に応じて写真プリント供給装置を動作させないようにすることができ、利用者によりすぐれた品質の写真プリントの提供ができる。
【０１２４】
上記写真プリント供給装置固有の性能やよりすぐれた写真プリントの仕上り品質等にとって最適のプリント用紙または記録材料であるか否かが、識別情報によって判別することができるので、識別情報の読み取り結果に応じて写真プリント供給装置を動作させないようにすることができ、利用者によりすぐれた品質の写真プリントの提供ができる。また、プリント用紙等の偽造品が市場に流出することを防ぐことができる。
【図面の簡単な説明】
【０１２５】
【図１】本発明の写真プリント供給装置の一実施の形態を示す断面図である。
【図２】編集プレイの模様を示す側面図である。
【図３】編集用ディスプレイの部分を示す平面図である。
【図４】本発明の写真プリント供給装置の第２の実施の形態を示す断面図である。
【図５】図４に示したものの編集プレイの模様を示す側面図である。
【図６】写真プリントの送出口の部分を示す側面図である。
【図７】本発明の写真プリント供給装置の第３の実施の形態を示す側面図である。
【図８】本発明の写真プリント供給装置の第４の実施の形態を示す平面図である。
【図９】本発明の写真プリント供給装置の第５の実施の形態を示す平面図である。
【図１０】本発明の写真プリント供給装置の第６の実施の形態を示す平面図である。
【図１１】本発明の写真プリント供給装置の斜視図である。
【図１２】本発明の写真プリント供給装置の斜視図である。
【図１３】本発明の写真プリント供給装置の第７の実施の形態を示す平面図である。
【図１４】本発明の写真プリント供給装置の第８の実施の形態を示す平面図である。
【図１５】本発明の写真プリント供給装置の第９の実施の形態を示す平面図である。
【図１６】本発明のプリント用紙ユニットの第１の実施の形態を示す簡略的な側面図である。
【図１７】本発明のプリント用紙ユニットの第２の実施の形態を示す簡略的な側面図である。
【図１８】本発明のプリント用紙ユニットの第３の実施の形態を示す簡略的な側面図である。
【図１９】本発明に関する従来技術を示す断面図である。
【符号の説明】
【０１２６】
１    筐体
２    被写体，使用者，利用者
３    バックスクリーンユニット
４ａ  天井部
４ｂ  支持枠材
４ｃ  支持枠材
５ａ  カーテン
５ｂ  カーテン
６    カメラ
７    正面ストロボ
８    編集空間用蛍光灯
９    遮蔽部材
１０    透明板
１１    乳白板
１５    硬貨投入口
１６    硬貨検出部
１７    正面蛍光灯
１８    スピーカ
１９    台
２０    モニタ
２１    コンピュータ装置
２２    編集用筐体
２２ａ  正面側板
２２ｂ  正面側板
２２ｃ  横測板
２３ａ  編集入力パネル
２３ｂ  編集入力パネル
２３ｃ  編集入力パネル
２３ｄ  編集入力パネル
２４    天井ストロボ
２５ａ  第１ディスプレイ
２５ｂ  第２ディスプレイ
２５ｃ  第３ディスプレイ
２５ｄ  第４ディスプレイ
２６    バックスクリーン
２７    バックストロボ
２８    バック蛍光灯
２９ａ  タッチペン
２９ｂ  タッチペン
２９ｃ  タッチペン
２９ｄ  タッチペン
３０ａ  表示画面
３０ｂ  表示画面
３０ｃ  表示画面
３０ｄ  表示画面
３１    撮影空間
３２    編集空間
３３    プリンタ
３３ａ  プリンタ
３３ｂ  プリンタ
３４    送出口
３４ａ  送出口
３４ｂ  送出口
３５    印刷媒体
３６ａ  表示ランプ
３６ｂ  表示ランプ
３６ｃ  エラーランプ
３７    仕切壁部材
３８    ネットワークケーブル
３９    集線装置（ＨＵＢ）  
４０    プリント用紙
４１    読取手段
４２    記憶手段
４３    インクリボン，記録材料
４４    印刷ヘッド
Ｍ      被写体
５０    筐体
５１    骨材
５２    壁板
５３    カーテン
５４    撮影用ブース
５５    ライト
５６    カメラ
５７    透明板
５８    コンピュータ装置
５９    ディスプレイ
６０    印刷媒体
６１    プリンタ
６２    送出口
６３    コントローラ
６４    タッチペン
【図１】
2005284297.tif 000003
【図２】
2005284297.tif 000004
【図３】
2005284297.tif 000005
【図４】
2005284297.tif 000006
【図５】
2005284297.tif 000007
【図６】
2005284297.tif 000008
【図７】
2005284297.tif 000009
【図８】
2005284297.tif 000010
【図９】
2005284297.tif 000011
【図１０】
2005284297.tif 000012
【図１１】
2005284297.tif 000013
【図１２】
2005284297.tif 000014
【図１３】
2005284297.tif 000015
【図１４】
2005284297.tif 000016
【図１５】
2005284297.tif 000017
【図１６】
2005284297.tif 000018
【図１７】
2005284297.tif 000019
【図１８】
2005284297.tif 000020
【図１９】
2005284297.tif 000021
【手続補正書】
【提出日】平成17年7月14日(2005.7.14)
【手続補正１】
【補正対象書類名】特許請求の範囲
【補正対象項目名】全文
【補正方法】変更
【補正の内容】
【特許請求の範囲】
【請求項１】
撮影空間の被写体を撮影する撮影手段が設けられた撮影部と、
上記撮影部とは異なる場所に設けられ、上記撮影手段により生成された撮影画像を表示するとともに使用者からの手書き画像の入力を受け付ける編集のためのディスプレイがそれぞれ設けられた２つの編集部と、
上記２つの編集部で編集された画像を写真プリントとして出力する共用のプリンタと、上記プリンタの稼動状況を検知する検知手段と、
上記撮影部での撮影が終了した使用者に対し、上記２つの編集部のうちいずれかの編集部で上記編集を開始させる制御手段とを備え、
上記制御手段は、上記検知手段がいずれかの編集部で編集された画像が上記プリンタでプリント中であることを検知したとき、他方の編集部における編集処理時間を延長することを特徴とする写真プリント供給装置。
【請求項２】
上記プリンタの送出口の近傍に、いずれかの編集部で編集された画像がプリント中であることを表示する表示手段が設けられている請求項１記載の写真プリント供給装置。
【手続補正２】
【補正対象書類名】明細書
【補正対象項目名】００１０
【補正方法】変更
【補正の内容】
【００１０】
上記の目的を達成するため、本発明の写真プリント供給装置は、撮影空間の被写体を撮影する撮影手段が設けられた撮影部と、上記撮影部とは異なる場所に設けられ、上記撮影手段により生成された撮影画像を表示するとともに使用者からの手書き画像の入力を受け付ける編集のためのディスプレイがそれぞれ設けられた２つの編集部と、上記２つの編集部で編集された画像を写真プリントとして出力する共用のプリンタと、上記プリンタの稼動状況を検知する検知手段と、上記撮影部での撮影が終了した使用者に対し、上記２つの編集部のうちいずれかの編集部で上記編集を開始させる制御手段とを備え、上記制御手段は、上記検知手段がいずれかの編集部で編集された画像が上記プリンタでプリント中であることを検知したとき、他方の編集部における編集処理時間を延長することを要旨とする。
【手続補正３】
【補正対象書類名】明細書
【補正対象項目名】００１３
【補正方法】変更
【補正の内容】
【００１３】
すなわち、複数の編集部のいずれかのディスプレイで手書き画像入力の受付処理を開始させることにより、利用者の編集プレイ待ちがなくなって、装置可動の回転率を高めることができる。プリンタを使用中であることが他方の利用者にわかっていらいらすることがなくなるだけでなく、自分のプレイ時間が延長されるため、利用者にお得感を与えて不満を解消することができる。
【手続補正４】
【補正対象書類名】明細書
【補正対象項目名】００１４
【補正方法】変更
【補正の内容】
【００１４】
本発明において、上記編集用筐体は、利用者の腰から胸の辺りの高さに設定された上方部に、使用者の手前側が低くなるよう家屋の屋根状に一対の傾斜面が形成され、上記各傾斜面にそれぞれ上記ディスプレイが設けられている場合には、ディスプレイでの編集プレイを行いやすくすることができる。ディスプレイが低い位置で傾斜しているので、使用者は表示画面が見やすくしかも手書き画像入力の操作も行ないやすくなる。また、両ディスプレイのあいだに遮蔽部材が配置されている場合には、見知らない使用者同士が差し向かいになっても、気が散らないで編集プレイに集中することができ、プライバシーを保って安心した気持ちで編集プレイができる。さらに、両ディスプレイのあいだの空間を出きるだけ小さくすることができるので、写真プリント供給装置の小型化にとって有利である。
【手続補正５】
【補正対象書類名】明細書
【補正対象項目名】００１５
【補正方法】変更
【補正の内容】
【００１５】
本発明において、上記プリンタの送出口の近傍に、いずれかの編集部で編集された画像がプリント中であることを表示する表示手段が設けられている場合には、遮蔽部材を機能させて、別の知らないグループの使用者が編集プレイをするときに、どちらのグループのプリンタが動作中であるかを知らせることができる。したがって、別の使用者がプリント中であることを他方の使用者が承知して、いらいらすることなく自分の写真プリントが出てくるのを待つことができる。